(57)【要約】【課題】気管挿管器具を提供することを課題とする。【解決手段】気管挿管器具であって、気管内チューブを患者の気管内に入れるために用いられ、棒状カメラと把持部と誘導部と表示器とを含む。棒状カメラは該気管内チューブ内に嵌設され、画像取り込みに用いられる。表示器は棒状カメラと電気的に接続することで、棒状カメラが取り込んだ画像を表示する。誘導部と把持部とが連結し、誘導部は先端と後端とを含み、誘導部の後端が把持部と連結し、且つ棒状カメラ、及び、気管内チューブは可動的に誘導部内に取り付けられる。【選択図】  図３
2013056141.tif 000002
【特許請求の範囲】
【請求項１】
気管内チューブを患者の気管内に入れるために用いられ、
画像の取り込みに用いられ、また、前記気管内チューブ内に嵌設される棒状カメラと、
把持部と、
前記棒状カメラと電気的に接続することで、前記棒状カメラが取り込んだ前記画像を表示する表示器と、
前記把持部と連結し、先端と後端とを備え、前記後端が前記把持部と連結し、且つ、前記棒状カメラ、及び、該気管内チューブがその中に可動的に取り付けられる誘導部と、
を含むことを特徴とする気管挿管器具。
【請求項２】
前記誘導部には、前記気管内チューブ、及び、前記棒状カメラを収容するためのガイド溝を更に含むことを特徴とする請求項１に記載の気管挿管器具。
【請求項３】
前記ガイド溝は、前記誘導部の前記先端部位に設けられ、前記気管内チューブ、及び、前記棒状カメラを前記ガイド溝内に置かれるため、前記誘導部の前記後端に通路を形成させることを特徴とする請求項２に記載の気管挿管器具。
【請求項４】
前記先端には、突出部を更に含み、且つ、前記ガイド溝が前記突出部まで延伸していないことを特徴とする請求項３に記載の気管挿管器具。
【請求項５】
前記気管挿管器具には、前記棒状カメラに設けられ、前記気管内チューブと嵌合するための嵌合具を更に含むことを特徴とする請求項４に記載の気管挿管器具。
【請求項６】
前記誘導部には、舌圧子とストッパーとを含み、前記舌圧子と前記ストッパーが実質的に直角に交わることを特徴とする請求項１に記載の気管挿管器具。
【請求項７】
前記気管内チューブ、及び、前記棒状カメラは、前記舌圧子と前記ストッパーが形成される区域内に収容することを特徴とする請求項６に記載の気管挿管器具。
【請求項８】
前記棒状カメラは、剛性材料からなり、前記気管内チューブの移動時、前記気管内チューブの移動方向を誘導させることができることを特徴とする請求項７に記載の気管挿管器具。
【請求項９】
前記棒状カメラは、着脱できるように前記把持部と連結することを特徴とする請求項８に記載の気管挿管器具。
【請求項１０】
プロセッサと受信モジュールと携帯電話モジュールとメモリと送信モジュールとを更に含み、前記プロセッサと前記受信モジュールと前記携帯電話モジュールと前記メモリとがそれぞれ前記表示器と電気的に接続し、前記送信モジュールが前記棒状カメラと接続することを特徴とする請求項５、或いは、請求項９に記載の気管挿管器具。
【請求項１１】
前記表示器は、前記把持部と連結することを特徴とする請求項１０に記載の気管挿管器具。
【発明の詳細な説明】
【技術分野】
【０００１】
本発明は、医療器材に関し、特に、気管挿管器具に関する。
【背景技術】
【０００２】
無呼吸状態の患者にとって、気管挿管は呼吸機能を維持する必要な手段であり、患者が命をとりとめるため、施術者は短時間で気管内チューブを患者の気管内に挿入して酸素を提供しなければならない。よって、如何にして迅速且つ効果的に挿管することが、施術者の重要な課題の一つとなっている。実務上、施術者の大半は、カメラが設けられた気管挿管器具を利用して患者の気管位置を確認してから気管内チューブを患者の気管内に挿入する。例えば、特許文献１及び特許文献２で開示されている気管挿管器具は、現在幅広く使用されている気管挿管器具であり、この２種類の気管挿管器具はカメラを気管内チューブのガイド溝側辺に取り付け、施術者がカメラを通じて患者の気管開口部を目視にて確認してからカメラ側辺にある気管内チューブを患者の気管内に押し込む。
【０００３】
特許文献２で開示されているカメラが設けられた気管挿管器具は挿管プロセスに役立つが、使用において、やはり克服を必要とする不便な箇所がある。時に患者の身体構造の違いに制限され、この種の気管挿管器具の視野はカメラが気管内チューブのガイド溝側辺に位置することで生じる視差或いは挿入する気管内チューブが邪魔することにより、気管開口部の位置を目視にて確認できず、施術者は正確に気管内チューブを患者の気管内に挿入できなくなる。２０１０年に発表された非特許文献１内でも現在施術者が通常使う気管挿管器具は、やはり正確に挿管できないリスクがあると指摘されている。
【０００４】
そこで、気管挿管が患者の生存に関わることに鑑み、挿管の流れをより一層簡便化と正確化させることができる気管挿管器具を提供する必要があった。
【先行技術文献】
【特許文献】
【０００５】
【特許文献１】米国特許公告番号４，３０６，５４７
【特許文献２】米国特許公開番号２００７／０１０６１２１
【非特許文献】
【０００６】
【非特許文献１】麻醉学術誌（Ａｃｔａ  Ａｎａｅｔｈｅｓｉｏｌｏｇｉｃａ  Ｓｃａｎｄｉｎａｖｉｃａ  ２０１０；５４（９）：１０５０-６１）
【発明の概要】
【発明が解決しようとする課題】
【０００７】
本発明は、挿管の流れをより一層簡便化と正確化させることができる気管挿管器具を提供することを主な目的とする。
【課題を解決するための手段】
【０００８】
上記目的を達成するため、本発明の気管挿管器具には棒状カメラと把持部と誘導部と表示器とを含む。棒状カメラが気管内チューブ内に嵌設され、画像の取込みに用いられる。表示器は棒状カメラと電気的に接続することで、棒状カメラが取り込んだ画像を表示する。誘導部と把持部とが連結し、誘導部には先端と後端とを含み、誘導部の後端が把持部と連結し、且つ棒状カメラ及び気管内チューブは誘導部内に可動的に取り付けられる。
【０００９】
本発明の一実施例によれば、本発明の気管挿管器具には棒状カメラに設けられ、気管内チューブと嵌合して棒状カメラと気管内チューブとが同時に移動させるための嵌合具を更に含む。
【００１０】
本発明の別の一実施例によれば、棒状カメラは剛性材料からなり、気管内チューブの移動時、棒状カメラが気管内チューブの移動方向を誘導させることができる。
【００１１】
本発明の構造は新規であり、産業上への利用に提供でき、且つ確かに進歩性を有するため、法律に基づいて発明特許を出願する。
【図面の簡単な説明】
【００１２】
【図１】本発明の気管挿管器具の一実施例と気管内チューブの構造立体分解図である。
【図２】本発明の気管挿管器具の一実施例の使用状態を示す図の一である。
【図３】本発明の気管挿管器具の一実施例の使用状態を示す図の二である。
【図４】本発明の気管挿管器具の別の一実施例と気管内チューブの構造立体分解図である。
【図５】本発明の気管挿管器具の別の一実施例と気管内チューブの構造立体分解図である。
【図６】本発明の気管挿管器具の更なる一実施例のハードウェア構成図である。
【図７】本発明の気管挿管器具の更なる一実施例と気管内チューブの構造立体分解図である。
【発明を実施するための形態】
【００１３】
以下、本発明の上記目的とその他の目的、特徴及び長所を更に明確に分かりやすくするため、具体的実施例を添付図面に基づいて説明する。
【００１４】
以下、本発明の気管挿管器具の実施例を図１〜図４を参照しながら説明する。図１は本発明の気管挿管器具の一実施例と気管内チューブの構造立体分解図である。図２は本発明の気管挿管器具の一実施例の使用状態を示す図の一である。図３は本発明の気管挿管器具の一実施例の使用状態を示す図の二である。図４は本発明の気管挿管器具の別の一実施例と気管内チューブの構造立体分解図である。
【００１５】
本発明の一実施例によれば、図１に示すように本発明の気管挿管器具１には、棒状カメラ１０と把持部２０と誘導部３０と嵌合具４０と表示器５０とを含む。棒状カメラ１０は気管内チューブ９０内に嵌設されることで気管内チューブ９０を棒状カメラ１０が撮影する気管開口部位置に正確に挿入できるよう確保し、且つ棒状カメラ１０は画像取り込み（例えば患者の気管開口部の画像）に用いられる。表示器５０は棒状カメラ１０が取り込んだ画像を表示するため棒状カメラ１０と電気的に接続している。図１に示すように、誘導部３０と把持部２０とが連結し、誘導部３０には先端３１と後端３２とガイド溝３４を含み、誘導部３０の後端３２が把持部２０と連結し、ガイド溝３４が誘導部３０の先端３１部位に設けられ、且つ棒状カメラ１０及び気管内チューブ９０は誘導部３０のガイド溝３４内に可動的に取り付けられる。本実施例の誘導部３０の先端３１には突出部３１１を更に含み、ガイド溝３４が突出部３１１まで延伸せず、且つ誘導部３０の後端３２に通路３２１が形成されることで、気管内チューブ９０及び棒状カメラ１０が比較的容易な方法でガイド溝３４内に置かれる（図２と図３）。嵌合具４０は棒状カメラ１０に設けられ、気管内チューブ９０と嵌合して棒状カメラ１０が気管内チューブ９０と同時に移動され（図３）、並びに棒状カメラ１０と気管内チューブ９０が移動時両者の相対位置が変わらないように確保する（棒状カメラ１０の移動時ずっと気管内チューブ９０内に位置する）。
【００１６】
本実施例の棒状カメラ１０は、ホースで、その先端に撮影レンズ及び発光照明装置（例えばＬＥＤ灯）が設けられ、且つ表示器５０が把持部２０と連結するが、本発明はこれに限定されないものとする。図４に示すように、気管挿管器具１ｂの表示器５０も棒状カメラ１０のみと連結するが把持部２０と分離することもできる。誘導部３０の外観は、後端３２から先端３１へ延伸する屈曲の円弧形で、屈曲の円弧度は人体の口咽頭の気道（ｏｒａｌ  ｃａｖｉｔｙ）の円弧度に適合する。本実施例の誘導部３０内の各部材は一体成形して連結する。本実施例の嵌合具４０は、プラスチックプラグであるが、本発明は上記実施例に限定されないものとする。嵌合具４０もその他の材質からなることができ、且つ棒状カメラ１０及び気管内チューブ９０に嵌設できる部材はいずれも適用される。
【００１７】
図２に示すように、本発明の気管挿管器具１を使用する時、誘導部３０が患者１００の舌根に当接し、この時ガイド溝３４内にある棒状カメラ１０は気管内チューブ９０と一緒に患者１００の口の中に入り込むことができる。誘導部３０の突出部３１１も誘導と指向の働きがあり、棒状カメラ１０と気管内チューブ９０が正確に気管開口部方向へ前進させることができる。施術者は棒状カメラ１０と気管内チューブ９０を患者１００の喉の奥まで押し込むだけで、表示器５０を通じて患者１００の気管１１０の正確な位置を目視にて確認されるまで、気管内チューブ９０を押進して気管内チューブ９０を嵌合具４０から分離させ、また気管内チューブ９０を気管１１０内に留置できる。
【００１８】
本発明の気管挿管器具１は、視野がカメラの視差或いは挿入した気管内チューブが邪魔することにより、気管開口部の位置を目視にて確認できない状況を避けることができ、同時に挿管過程中の患者１００の気道組織を傷付けることを避けることができる。次に、本発明の気管挿管器具１は、棒状カメラ１０を気管内チューブ９０に置くため、誘導部３０の体積を減らして誘導部３０を更に患者１００の口の中に入りやすく、口が小さく、顎関節がきつすぎ又は舌が大きすぎる患者へも誘導部３０を入れることができない状況がなくなる。また、棒状カメラ１０を気管内チューブ９０に置き、棒状カメラ１０は気管内チューブ９０と一緒に気管１１０内に入り込ませることで、挿管の都度に正確に気管内チューブ９０を気管１１０内に入れることができるため、ミスするリスクがない。
【００１９】
以下、本発明の気管挿管器具の別の一実施例と気管内チューブの構造分解を図５を参照しながら説明する。
【００２０】
本実施例の気管挿管器具１ａと気管挿管器具１との相違点は、気管挿管器具１ａの誘導部３０ａは舌圧子３５とストッパー３３とを含み、舌圧子３５とストッパー３３とが実質的に直角に交わる。本実施例の気管挿管器具１ａの棒状カメラ１０ａは、着脱できるように把持部２０と連結する。棒状カメラ１０ａは剛性材料からなり、自身が一定の屈曲度を持ち、気管内チューブ９０の移動時、棒状カメラ１０が気管内チューブ９０の移動方向を誘導できる。同時に本実施例の気管内チューブ９０及び棒状カメラ１０は舌圧子３１及びストッパー３３が形成される区域内に収容される。且つ気管内チューブ９０及び棒状カメラ１０は舌圧子３１及びストッパー３３が形成される区域内に移動できる。気管挿管器具１ａの使用と作動方式は、気管挿管器具１と同様とするため、記述を省略し、図２と図３を参照する。
【００２１】
以下、本発明気管挿管器具の別の一実施例を図６と図７を参照しながら説明する。図６は、本発明の気管挿管器具の更なる一実施例のハードウェア構成図である。図７は、本発明の気管挿管器具の更なる一実施例と気管内チューブの構造立体分解図である。
【００２２】
図６に示すように、本発明の気管挿管器具１ｃは、プロセッサ６０と受信モジュール１４０と携帯電話モジュール８０とメモリ１２０と送信モジュール１３０とを含む。プロセッサ６０、受信モジュール１４０、携帯電話モジュール８０及びメモリ１２０は、それぞれ表示器５０と電気的に接続（例えば、プロセッサ６０などの電子素子を表示器５０の筐体内に入れる）し、且つ送信モジュール１３０が棒状カメラ１０と接続する。本実施例において、表示器５０が独立して設置したディスプレイスクリーンであり、棒状カメラ１０が取り込んだ画像は送信モジュール１３０を通じて受信モジュール１４０に伝送してから表示器５０を通じて画像を表示する。その他、携帯電話モジュール８０はスピーカ８１とマイク８２とを備え、施術者は携帯電話モジュール８０を通じて救急救命士と会話することができる。メモリ１２０は棒状カメラ１０が取り込んだ画像及び必要なコントロールプログラムを記憶するために用いられる。プロセッサ６０は、上記動作を実行するために用いられる。受信モジュール１４０と送信モジュール１３０は、例えばブルートゥースのような無線通信装置とすることができる。メモリ１２０もメモリカードとすることができる。本発明の気管挿管器具１、１ａ、或いは１ｂも前記の各モジュールと装置を設置することができる。本発明は本実施例に限定されない。
【００２３】
上記をまとめ、本発明は、目的、手段及び効果を問わず、いずれも従来の技術の特徴とは異なり、審査官は、何卒ご再審の上、速やかに特許査定賜りますようお願いする次第であります。ただし、上記の多くの実施例は、説明の便宜のためだけに挙げた例であり、本発明が主張する権利範囲は、上記実施例に限定されることなく、当然特許請求事項の範囲で記載されるものを基準とする。
【符号の説明】
【００２４】
１、１ａ、１ｂ、１ｃ  気管挿管器具
１０、１０ａ  棒状カメラ
２０    把持部
３０、３０ａ  誘導部
３１    先端
３１１  突出部
３２    後端
３２１  通路
３３    ストッパー
３４    ガイド溝
３５    舌圧子
４０    嵌合具
５０    表示器
６０    プロセッサ
８０    携帯電話モジュール
８１    スピーカ
８２    マイク
９０    気管内チューブ
１００  患者
１１０  気管
１２０  メモリ
１３０  送信モジュール
１４０  受信モジュール
【図１】
2013056141.tif 000003
【図２】
2013056141.tif 000004
【図３】
2013056141.tif 000005
【図４】
2013056141.tif 000006
【図５】
2013056141.tif 000007
【図６】
2013056141.tif 000008
【図７】
2013056141.tif 000009